(57)【要約】【課題】画像加熱装置において、シートがレバー部材を押し下げられないような自重の薄紙においても、装置内でジャムし、滞留したシートを検知する。【解決手段】シートＰを挟持搬送してシート上の画像を加熱するニップ部Ｎを形成する一対の回転体４０・４１と、シート搬送方向Ｘにおいてニップ部Ｎの上流側と下流側のシート搬送経路の少なくとも一方に配置されたシート滞留検知フラグ７８３ｂと、回転体の回転中心方向もしくは母線方向から見てシート搬送経路を中にしてフラグ７８３ｂに対向する位置に配置された可動のガイド７８７と、フラグ７８３ｂとの間隔を広げる方向と狭める方向とにガイド７８７を移動させるガイド移動部材５１ｂと、を有する。ガイド移動部材５１ｂは第１の移動ポジションと、このポジションよりもガイド７８７のフラグ７８３ｂとの間隔を狭めた第２の移動ポジションと、の少なくとも２つの移動ポジションを有する。【選択図】図１
2019124860.tif 000002
【特許請求の範囲】
【請求項１】
シートを挟持搬送してシート上の画像を加熱するニップ部を形成する一対の回転体と、
シート搬送方向において前記ニップ部の上流側と下流側のシート搬送経路の少なくとも一方に配置されたシート滞留検知フラグと、
前記回転体の回転中心方向もしくは母線方向から見て前記シート搬送経路を中にして前記シート滞留検知フラグに対向する位置に配置された可動のガイドと、
前記シート滞留検知フラグとの間隔を広げる方向と狭める方向とに前記ガイドを移動させるガイド移動部材と、を有し、
前記ガイド移動部材は第１の移動ポジションと、前記第１の移動ポジションよりも前記ガイドの前記シート滞留検知フラグとの間隔を狭めた第２の移動ポジションと、の少なくとも２つの移動ポジションを有することを特徴とする画像加熱装置。
【請求項２】
前記ガイドは少なくとも１箇所の切欠き部を有し、前記ガイド移動部材が前記第２のポジションにあるとき、前記滞留検知フラグの先端が前記ガイドの前記切欠き部まで進入することを特徴とする請求項１に記載の画像加熱装置。
【請求項３】
前記滞留検知フラグは、シートに接触しない退避位置と、前記滞留検知フラグの先端が前記ガイドの前記切欠き部まで進入する進入位置と、の少なくとも２つの動作ポジションを有することを特徴とした請求項２に記載の画像加熱装置。
【請求項４】
一対の回転体の少なくとも一方の回転体が他方の回転体に対して当接して前記ニップ部を形成している当接位置と、他方の回転体から離間している離間位置と、の少なくとも２つの移動ポジションを有し、
前記一方の回転体の前記当接位置と前記離間位置への移動動作に連動し、前記ガイド移動部材は第１の移動ポジションと第２の移動ポジションとに選択的に移動することを特徴とする請求項１乃至３の何れか一項に記載の画像形成装置。
【発明の詳細な説明】
【技術分野】
【０００１】
本発明は、画像形成装置に搭載される定着装置として用いれば好適な画像加熱装置に関する。
【０００２】
画像形成装置は、例えば、電子写真プロセス、静電記録プロセス、磁気記録プロセスなどの画像形成プロセスを用いてシート（記録材）にトナー像を形成するものである。例えば、複写機、プリンタ（レーザービームプリンタ、ＬＥＤプリンタなど）、ファクシミリ、及びそれらの機能を複数備えた複合機、ワードプロセッサ等が含まれる。
【背景技術】
【０００３】
上記のような画像形成装置では、電子写真プロセス等により形成されるトナー像をシートに転写した後に、画像加熱装置としての定着装置によりトナー像を定着させるものが良く知られている。定着装置は、例えば加熱される定着部材と加圧部材を圧接させて形成する定着ニップにシートを通過させることで定着処理を行う。
【０００４】
このような画像形成装置ではシート搬送不良（ジャム）が発生する場合が有り、それを検出する構成が広く実用化されている。例えばジャムが発生した場合に定着装置内部でのシート残留を検出する方式も開示されている。特許文献１ではジャムが発生した場合に定着ニップ上流や下流部に設けられたシート検知センサによる残留検知結果に基づき、定着装置内のシート除去が終了するまで、加熱手段による加熱処理が遮断されるように制御する方式が提案されている。
【０００５】
滞留検知手段としては、特許文献２に記載されるようにレバー部材の動作をフォトセンサにより検出する方式や、赤外線をシート裏面に照射することでシート有無を検知する方式が実用化されている。
【０００６】
ところで定着装置内部でジャムが発生する場合には、ニップ下流の滞留検知手段までシートが到達しない場合がある。このような場合には定着装置内部での用紙残留を定着ニップ上流側の残留検知手段により行う必要が生じる。定着装置の内部に引き込まれたシート後端の検出には、特許文献３に記載されるように、定着装置にシートを導入するガイド部に滞留検知手段を設ける方式が効果的である。特許文献３に記載の方式では、定着ニップ近傍に伸ばされたレバー部材を滞留したシートが押圧することで滞留検知を行うため、定着ニップ直前のシート後端を検出することが可能になる。
【０００７】
シートの残留が検出された場合には、シートを除去するようにユーザに通知し、シートの除去が確認された後に通常動作に移行することが望ましい。
【先行技術文献】
【特許文献】
【０００８】
【特許文献１】特開２００２−３４１６９３号公報
【特許文献２】特開平６−１７５５２４号公報
【特許文献３】特開２００７−２４８７９０号公報
【発明の概要】
【発明が解決しようとする課題】
【０００９】
近年のプリンタや複写機等では様々なメディアに対応することが望まれており、その中でも、特にさらなる薄紙への対応が要望されている。前述のような滞留したシートがレバー部材を動かすことによって、滞留を検知する機構では、シートとしての薄紙の坪量が一定以上に小さくなると、シートの剛性が小さくなるためレバー部材を動かすことができなくなってしまい、滞留誤検知をおこす。滞留シートを検出できないと、定着装置内部に滞留シートが巻き込まれ、各部材を破損させてしまう。
【００１０】
本発明の目的は、シートが薄紙においても、装置内でジャムし、滞留したシートをより確実に検知することを可能とし、さらなる薄紙への対応を可能とすることにある。
【課題を解決するための手段】
【００１１】
上記の目的を達成するための本発明に係る画像加熱装置の代表的な構成は、
シートを挟持搬送してシート上の画像を加熱するニップ部を形成する一対の回転体と、
シート搬送方向において前記ニップ部の上流側と下流側のシート搬送経路の少なくとも一方に配置されたシート滞留検知フラグと、
前記回転体の回転中心方向もしくは母線方向から見て、前記シート搬送経路を中にして前記シート滞留検知フラグに対向する位置に配置された可動のガイドと、
前記シート滞留検知フラグとの間隔を広げる方向と狭める方向とに前記ガイドを移動させるガイド移動部材と、を有し、
前記ガイド移動部材は第１の移動ポジションと、前記第１の移動ポジションよりも前記ガイドの前記シート滞留検知フラグとの間隔を狭めた第２の移動ポジションと、の少なくとも２つの移動ポジションを有することを特徴とする。
【発明の効果】
【００１２】
シートがシート滞留検知フラグ（レバー部材）を押し下げられないような自重の薄紙においても、装置内でジャムし、滞留した薄紙を検知することが可能となり、さらなる薄紙への対応が可能となる。
【図面の簡単な説明】
【００１３】
【図１】実施例の定着装置の要部の横断面模式図（定着動作中）
【図２】画像形成装置例の概略構成を表す模式図
【図３】画像形成装置の制御系統のブロック図
【図４】加圧ローラ離間状態時の定着装置の要部の横断面模式図
【図５Ａ】加圧ローラ加圧状態時の定着装置の要部の斜視模式図
【図５Ｂ】加圧ローラ離間状態時の定着装置の要部の斜視模式図
【図６】滞留用紙検知状態時の定着装置の要部の横断面模式図
【図７】薄紙の浮き上がり図
【発明を実施するための形態】
【００１４】
以下に、実施例を挙げて、本発明をより具体的に説明する。なお、実施例は、本発明における最良な実施の形態の一例ではあるものの、本発明は実施例により限定されるものではない。
【００１５】
《実施例》
［画像形成部］
図２は本実施例における画像形成装置１００の概略構成を表す模式図である。この画像形成装置１００は、中間転写方式−タンデム型の電子写真レーザープリンタである。即ち、この画像形成装置１００はパーソナルコンピュータなどの外部端末４００から制御部（実行部）３００に入力するプリントジョブに基づいて作像動作して入力した画像情報に対応したフルカラー又はモノカラーのトナー像をシート（記録材）Ｐに形成する。２００は操作部である。この画像形成装置１００の基本的な装置構成と作像プロセスは公知に属するからその説明は簡単にとどめる。
【００１６】
記録材であるシートＰは、画像形成装置によって現像剤画像（以下、トナー像と記す）が形成されるものであって、例えば、普通紙、厚紙、薄紙、封筒、葉書、シール、樹脂製シート、オーバーヘッドプロジェクター用シート（ＯＨＴシート）等が含まれる。以下においてはシートＰを用紙又は紙と記す。
【００１７】
１は画像形成装置本体１０１の内部の画像形成部であり、４つの作像ユニットＵ（Ｙ・Ｍ・Ｃ・Ｋ）と中間転写ベルトユニット８を有する。各作像ユニットＵは、それぞれ、矢印の反時計方向に所定の周速度で回転駆動されるドラム型の電子写真感光体（以下、ドラムと記す）２を有する。また、各作像ユニットＵは、それぞれ、ドラム２に作用する電子写真プロセス機器としての、帯電器３、レーザースキャナ４、現像器５、一次転写帯電器６、ドラムクリーナ７等を有する。なお、図の煩雑を避けるため、これらの機器の符号の作像ユニットＵＭ・ＵＣ・ＵＫに対する記載は省略した。
【００１８】
各作像ユニットＵは、それぞれ、ドラム２に、イエロー（Ｙ）色、マゼンタ（Ｍ）色、シアン（Ｃ）色、ブラック（Ｋ）色のトナー像を形成する。そして、各作像ユニットＵのドラム２から、矢印の時計方向にドラム２と実質同じ周速度で回転駆動される中間転写ベルト（以下、ベルトと記す）９に対して上記４色のトナー像が順次に所定に重畳されて一次転写される。これにより、ベルト９上に未定着のフルカラーのトナー像が形成される。
【００１９】
そして、ベルト９と二次転写ローラ１２との圧接部である二次転写ニップ部に対して用紙Ｐが所定の制御タイミングで導入されて、ベルト９上のトナー像が用紙Ｐに対して二次転写される。用紙Ｐは給紙カセット１０から一枚分離給送されて、レジストローラ対１１を含む搬送路（シート搬送経路）ａを通って二次転写ニップ部に導入される。二次転写ニップ部を出た用紙Ｐはベルト９から分離されて搬送路ｂにより画像加熱装置としての定着装置（定着ユニット：以下、定着器と記す）Ｆに導入される。
【００２０】
定着器Ｆに導入された用紙Ｐはトナー像の熱圧定着を受ける。定着器Ｆを出た用紙Ｐは、プリントジョブが片面印刷モードである場合には、フラッパー１３により排紙路ｃの側に誘導されて片面印刷のフルカラー画像形成物としてトレイ１４に排出される。
【００２１】
プリントジョブが両面印刷モードである場合には、定着器Ｆを出た１面目印刷済みの用紙Ｐはフラッパー１３により反転路ｄの側に誘導される。そして、スイッチバック搬送路ｅで逆送されて両面搬送路ｆを経由して搬送路ａに入り、表裏反転状態で二次転写ニップ部に再導入される。これにより用紙Ｐの２面目に対するトナー像の形成がなされる。以後は、用紙Ｐは、片面印刷モードの場合と同様に、定着器Ｆ、排紙路ｃの経路を搬送されて両面印刷のフルカラー画像形成物としてトレイ１４に排出される。
【００２２】
モノカラー印刷の場合には、その画像形成を実行するのに必要な作像ユニットＵが画像形成動作し、それ以外の作像ユニットはドラム２が空回転するだけで画像形成動作はなされない。
【００２３】
［制御部］
制御部（実行部）３００は画像形成装置１００を統括的に制御する。図３は画像形成装置１００の制御系統のブロック図であり、主として、外部端末（ホスト装置）４００、操作部２００、定着器Ｆと関係する部分を示している。外部端末４００から制御部３００に入力する画像情報はコントローラ８２で処理され、ＣＰＵ８１に画像形成情報が入力する。これを画像処理部８６及びＲＡＭ８４、ＲＯＭ８５間で処理して画像形成が行われる。
【００２４】
操作部２００はＩ／Ｆ部８３を介してＣＰＵ８１と接続している。操作部２００はユーザー（操作者）からの画像形成モード設定及び各種指示の入力や、ユーザへの装置の状態報知等を行うユーザインタフェース（ＵＩ：User Interface、マニュアル操作部）である。
【００２５】
ＣＰＵ８１は、定着器Ｆの各種制御部（コントローラ８７・９１、ヒータ制御部８８、温度検知部８９、ジャム検知部９０等）と電気的に接続されている。定着器Ｆは、ＣＰＵ８１によって制御されることにより、用紙Ｐの搬送速度や、後述する定着ローラ４０、加圧ローラ４１の表面温度（温調温度）などが制御され、トナー像を用紙に定着することができる。また、定着器Ｆは、後述する各種の制御がなされる。
【００２６】
［定着器］
図１は定着動作中の定着器Ｆの要部の横断面模式図である。この定着器Ｆは、用紙Ｐを挟持搬送して用紙上（シート上）の画像を加熱するニップ部Ｎを形成する一対の回転体としての定着ローラ４０と加圧ローラ４１を有するローラ対型の画像加熱装置であり、大別して、
１）定着ローラ４０（第１の回転体、加熱回転体、定着部材）と、
２）この定着ローラ４０と協働してニップ部Ｎを形成する加圧ローラ（第２の回転体、加圧回転体、加圧部材）４１と、
３）加圧ローラ４１を定着ローラ４０に加圧してニップ部Ｎを形成させた加圧位置（当接位置）と定着ローラ４０から離間させた離間位置とに移動させる加圧−離間機構（移動機構）５０と、
４）用紙残留検知機構（シート残留検知機構）７０と、
５）これらが組み付けられている定着器フレーム２０（図２）と、
を有する。
【００２７】
（定着ローラ）
定着ローラ４０は、アルミニウム製円筒の芯金の外周面に厚さ３ｍｍの弾性層を配置して直径６０ｍｍに構成されている。弾性層の下層は、ＨＴＶ（高温加硫型）シリコンゴム層であり、ＨＴＶシリコンゴム層の外周面に、画像面に接触させる耐熱弾性層としてのＲＴＶ（室温加硫型）シリコンゴム層が配置されている。最表層にはフッ素樹脂層が配置されている。
【００２８】
定着ローラ４０の芯金の両端部がそれぞれ定着器フレーム２０の長手方向（図２の紙面に垂直な方向）の不図示の一端側（手前側）と他端側（奥側）の側板間に回転可能に軸受保持されて配設されている。
【００２９】
定着ローラ４０は、芯金の内部（定着ローラの回転中心部）には加熱源としてハロゲンヒータ４０ａが非回転に配置されている。ハロゲンヒータ４０ａには制御部３００で制御される給電部４３から電力が供給されて発熱する。これにより定着ローラ４０が内部から加熱される。
【００３０】
そして定着ローラ４０の表面温度が温度センサ（サーミスタ）４２ａによって検知され、その検知温度情報が制御部３００の温度検知部８９にフィードバックされる。制御部３００はその入力情報に基づいて定着ローラ４０の表面温度が、トナー像が用紙Ｐに定着可能な温度である所定温度（例えば約１６５℃）に収束するようにヒータ制御部（温度調整回路）８８によりハロゲンヒータ４０ａへの供給電力を調整する。
【００３１】
（加圧ローラ）
加圧ローラ４１は、アルミニウム製円筒の芯金の外周面に厚さ１ｍｍの弾性層を配置して直径４６ｍｍに構成されている。弾性層の下層は、ＨＴＶシリコンゴム層であり、ＨＴＶシリコンゴム層の外周面にフッ素樹脂層が配置されている。
【００３２】
加圧ローラ４１は定着ローラ４０の下側において後述する加圧−離間機構５０の加圧ホルダ５１の長手方向（図１の紙面に垂直な方向）の一端側と他端側の側板間に回転可能に軸受保持されて定着ローラ４０に対して実質平行に配列されている。そして、加圧ローラ４１は制御部３００で制御される加圧−離間機構５０の加圧動作により定着ローラ４０に圧接する方向に持ち上げられる。そして、図１のように、定着ローラ４０との間に用紙搬送方向（シート搬送方向）Ｘに関して所定幅のニップ部Ｎを形成した加圧位置（定着位置）に移動される。
【００３３】
本実施例においては、加圧ローラ４１を総圧力約７８４Ｎ（約８０ｋｇ）で定着ローラ４０に圧接して所定幅のニップ部Ｎを形成している。
【００３４】
加圧ローラ４１の芯金の内部（加圧ローラの回転中心部）には加熱源としてハロゲンヒータ４１ａが非回転に配置されている。ハロゲンヒータ４１ａには制御部３００で制御される給電部４３から電力が供給されて発熱する。これにより加圧ローラ４１が内部から加熱される。
【００３５】
そして定着ローラ４０の表面温度が温度センサ（サーミスタ）４２ｂによって検知され、その検知温度情報が制御部３００の温度検知部８９にフィードバックされる。制御部３００はその入力情報に基づいて加圧ローラ４１の表面温度が所定温度（例えば約１３０℃）に収束するようにヒータ制御部８８によりハロゲンヒータ４１ａへの供給電力を調整する。
【００３６】
上述した層構成の定着ローラ４０と加圧ローラ４１とを組み合わせることによって、トナーに対する離型性をより一層高めている。
【００３７】
定着ローラ４０及び加圧ローラ４１は、それぞれの一方の軸端に固定された歯車が歯車機構（何れも不図示）によって相互に連結されている。その歯車機構に制御部３００で制御されるモータＭ１を含む駆動機構６０の駆動力が入力される。これにより定着ローラ４０と加圧ローラ４１が共にそれぞれ矢印Ｒ４０とＲ４１の方向に回転駆動される。
【００３８】
（定着動作）
画像形成装置１００の画像形成動作時には、制御部３００は加圧−離間機構５０により加圧ローラ４１を加圧位置に移動させて定着ローラ４０との間にニップ部Ｎを形成させる。また、制御部３００は駆動機構６０を起動させて定着ローラ４０と加圧ローラ４１を所定の周速度で回転駆動させる。また、制御部３００はヒータ制御部８８により定着ローラ４０と加圧ローラ４１の表面温度をそれぞれ所定の温度に立ち上げてそれが維持されるように温調する。
【００３９】
この定着器状態において、二次転写ニップ部の側から搬送路ｂを通って定着器Ｆに導入された未定着トナー像を担持した用紙Ｐはニップ部Ｎに進入して挟持搬送される。これにより用紙Ｐが加熱・加圧されて、トナー像が溶融して用紙Ｐに熱定着される。ニップ部Ｎを出た用紙Ｐは定着ローラ４０から分離され定着器Ｆの外に出ていく。
【００４０】
（加圧−離間機構）
加圧−離間機構５０において、加圧ローラ４１を回転可能に保持している加圧ホルダ５１は、定着器フレーム２０（図２）の長手方向の一端側と他端側の側板間に回動軸５３を中心に上下方向に回転可能に保持されて配設されている。加圧ホルダ５１には図１の横断面において加圧ローラ４１を中にして回動軸５３側とは反対側に、加圧ローラ４１を定着ローラ４０に対して弾性的に圧接させるための加圧バネ５６を有する加圧バネユニット５５が配設されている。
【００４１】
また、加圧ホルダ５１の加圧バネユニット５５の下方部には定着器フレーム２０の長手方向の一端側と他端側の側板間に加圧カム軸５４が回転可能に軸受されて配設されている。この加圧カム軸５４に一端側と他端側にはそれぞれ加圧ホルダ５１の一端側と他端側の下面部を支持する同形状・同位相の一対の偏心カム５２が固定して配設されている。そしてム軸５４に対して制御部３００で制御されるモータＭ２の駆動力が駆動伝達機構（不図示）を介して入力されて加圧カム軸５４が回転駆動される。
【００４２】
加圧カム軸５４は、偏心加圧カム５２について大隆起部を上向きにした第１の回転角位置と、大隆起部を下向きにした第２の回転角位置とに回転制御される。加圧カム軸５４が第１の回転角位置に回転されて停止されることで、加圧ローラ４１を保持している加圧ホルダ５１が偏心加圧カム５２の大隆起部により回動軸５３を中心に持ち上げ回動される。
【００４３】
そして、加圧ローラ４１が定着ローラ４０に対して加圧バネユニット５５の加圧バネ５６を押し縮めながら当接する。これにより、加圧ローラ４１が定着ローラ４０に対してそれぞれの弾性層の弾性に抗して加圧バネ５６の圧縮反力で弾性的に所定の圧力で押圧付勢され、加圧位置に保持される。即ち、定着ローラ４０と加圧ローラ４１との間に用紙搬送方向Ｘに関して所定幅のニップ部Ｎが形成された状態になる（加圧−離間機構５０の加圧動作）。
【００４４】
また、加圧カム軸５３が第１の回転角位置から第２の回転角位置に回転制御されて停止されることで、加圧ローラ４１を保持している加圧ホルダ５１が偏心加圧カム５２の小隆起部により回動軸５３を中心に持ち下げ回動される。即ち、加圧ローラ４１が定着ローラ４０から離間する方向に持ち下げられて、図４のように、定着ローラ４０との間のニップ部Ｎを解消した離間位置（待機位置）に移動される（加圧−離間機構５０の離間動作）。
【００４５】
制御部３００は、画像形成装置１００の画像形成動作時には加圧−離間機構５０を加圧動作させて、定着ローラ４０と加圧ローラ４１との間にニップ部Ｎを形成させた状態にする（図１）。一方、制御部３００は、画像形成装置１００に用紙Ｐが搬送されていない状態時や、画像形成信号（プリントジョブ）の入力待ちをしているスタンバイ状態時や、ジャム発生時には、加圧−離間機構５０を離間動作させる（図４）。即ち、加圧ローラ４１を定着ローラ４０から離した状態に保持する。
【００４６】
ジャム検知は、画像形成装置１００の用紙搬送路中の随所に配設されたジャムセンサ（不図示：シートセンサ）からの用紙の到達−通過検知信号が制御部３００のジャム検知部９０に入力する。ジャム検知部９０は各ジャムセンサからの検知信号の入力タイミングに基づいて用紙搬送路中における用紙ジャムの発生の有無を判断する。
【００４７】
制御部３００は、用紙ジャムの発生時には、画像形成装置１００の画像形成動作を緊急停止させる。定着器Ｆについては、加圧−離間機構５０を離間動作させ、駆動機構６０の駆動を停止させ、ハロゲンヒータ４０ａ・４１ａへの電力供給を停止させる。そして、操作部２００の表示部にユーザにジャム処理を促すメッセージを表示する。
【００４８】
（用紙滞留検知機構）
定着器Ｆにおける用紙滞留検知機構７０について説明する。定着器Ｆにおいて、定着ローラ４０の用紙搬送方向上流部には用紙ガイド（ガイド部材）７７０が定着器フレーム２０（図２）に対して定置配設されている。この用紙ガイド７７０は定着ローラ４０に加圧ローラ４１が加圧されて形成されるニップ部Ｎに用紙先端を導くように配置している。用紙ガイド７７０は、ニップ部Ｎにて加圧ローラ４１と接触する側の用紙面と接触することで用紙の搬送をガイドしている。
【００４９】
図１は、定着動作中の定着器Ｆの様子を示す図ある。用紙滞留検知機構７０は、この用紙ガイド７７０の内側に組み込まれて配設された用紙検知器（シート検知手段）Ｓと、用紙ガイド７７０の上方部に配設された用紙押えガイド（シート押えガイド：可動のガイド）７８７と、を有している。用紙滞留検知機構７０を用紙の搬送方向に関してニップ部Ｎより上流側に設けることで、用紙ジャムの発生に伴い、用紙の先端側が定着ローラ４０に巻き付くような状態でニップ部Ｎに滞留している場合にも、用紙の残留を検知することができる。
【００５０】
用紙検知器Ｓは、回動軸７８２を中心に回転自在に取り付けられているセンサレバー７８３と、センサレバー７８３が関与するフォトインタラプタ７８４と、を有する。また、用紙検知器Ｓは、回動軸７８１を中心に回転自在に取り付けられており、センサレバー７８３に関与する退避レバー７８６を有している。
【００５１】
センサレバー７８３は、フォトインタラプタ７８４を遮光するためのシャッタ部７８３ａと、一端側の当接部（シート滞留検知フラグ）７８３ｂと、他端側の押圧部７８３ｃと、を備えている。そして、センサレバー７８３はねじりバネ７８５によって回動軸７８２を中心に図１において時計方向に回動付勢されている。
【００５２】
退避レバー７８６は、センサレバー７８３の押圧部７８３ｃに関与する一端側の退避アーム部７８６ａと、加圧ローラ４１の加圧ホルダ５１のホルダアーム部５１ａが関与する退避レバー押圧部７８６ｂと、を備えている。そして、退避レバー７８６はねじりバネ７８８によって回動軸７８１を中心に図１において時計方向に回動付勢されている。退避レバー７８６を回動させるねじりバネ７８８のバネ力はセンサレバー７８３を回動させるねじりバネ７８５のバネ力よりも大きい。これにより、センサレバー７８３が通紙中の用紙の搬送を妨げないようにできる。
【００５３】
用紙ガイド７７０には、センサレバー７８３の当接部７８３ｂを用紙ガイド７７０の上面から上方に突出させるためのスリット状の開口部７７０ａ（図５Ａ、図５Ｂ）が形成されている。
【００５４】
１）加圧ホルダ５１が離間位置から加圧位置に移動すると、加圧ホルダ５１に設けられたホルダアーム５１ａは、退避レバー７８６の下端に位置する退避レバー押圧部７８６ｂから離間する。即ち、図１のように、加圧ホルダ５１が加圧位置に位置する状態では、加圧ホルダ５１に設けられたホルダアーム５１ａは、退避レバー７８６の下端に位置する退避レバー押圧部７８６ｂと離間している。
【００５５】
この状態において、退避レバー７８６のねじりバネ７８８の付勢力で回動軸７８１を中心に時計方向に回動して退避アーム部７８６ａがセンサレバー７８３の押圧部７８３ｃに当接して押圧する。その押圧力によりセンサレバー７８３が回動軸７８２を中心にねじりバネ７８８の付勢力に抗して反時計方向に回動され、当接部７８３ｂが用紙ガイド７７０の内側に退避している回動姿勢に保持される。センサレバー７８３のこの回動姿勢において、シャッタ部７８３ａはフォトインタラプタ７８４を遮光する位置に移動する。
【００５６】
２）一方、図４、図５Ｂのように、加圧ホルダ５１が離間位置に移動すると、加圧ホルダ５１に設けられたホルダアーム５１ａは、退避レバー７８６の下端に位置する退避レバー押圧部７８６ｂに対して当接している。
【００５７】
この状態において、退避レバー７８６はねじりバネ７８８の付勢力に抗して回動軸７８１を中心に反時計方向に回動して退避アーム部７８６ａがセンサレバー７８３の押圧部７８３ｃから逃げ回動する。これにより、センサレバー７８３がねじりバネ７８５の付勢力により回動軸７８２を中心に時計方向に回動する。
【００５８】
そして、図４や図５Ｂのように、用紙ガイド７７０の上面に残留用紙が存在しない場合には、当接部７８３ｂが開口部７７０ａから用紙ガイド７７０の上面側に突出した回動姿勢になる。センサレバー７８３のこの回動姿勢において、シャッタ部７８３ａはフォトインタラプタ７８４を透光する位置に移動する。
【００５９】
上記１）と２）のように、加圧ローラ４１の加圧−離間動作に連動して、退避レバー７８６が回動し、それに連動して、センサレバー７８３が回動する機構である。
【００６０】
前述したように、制御部３００は、画像形成装置１００に用紙Ｐが搬送されていない状態時や、画像形成信号（プリントジョブ）の入力待ちをしているスタンバイ状態時や、ジャム発生時には、加圧−離間機構５０を離間動作させる（図４）。
【００６１】
このとき、上記２）で述べたように、用紙ガイド７７０の上面に残留用紙が存在しない場合（図４）には、当接部７８３ｂが開口部７７０ａから用紙ガイド７７０の上面側に突出した回動姿勢になる。センサレバー７８３のこの回動姿勢において、シャッタ部７８３ａはフォトインタラプタ７８４を透光する位置に移動する。制御部３００はこの透光状態のフォトインタラプタ７８４からの信号により定着器Ｆに残留用紙は無いと判断する。
【００６２】
用紙ガイド７７０の上面に残留用紙が存在する場合（図６）には、その残留用紙により当接部７８３ｂの開口部７７０ａから用紙ガイド７７０の上面側への突出が阻止されてシャッタ部７８３ａはフォトインタラプタ７８４を遮光する位置に保持される。制御部３００はこの遮光状態のフォトインタラプタ７８４からの信号により定着器Ｆに残留用紙が存在していると判断する。
（用紙押さえガイドの移動）
ジャム検知部９０によってジャムの発生が検知された場合、画像形成処理が中断され、制御部３００の報知に従ってユーザによってジャム処理が行われる。その後、画像形成処理が再開される前に（ジョブがキャンセルされた場合には、開始される前に）、ニップ部Ｎおよびニップ部Ｎの直上流に用紙が滞留しているか否かを確実に検知することが求められる。
【００６３】
用紙押さえガイド７８７は、ジャムの発生後から、ジャム発生後最初の画像形成動作を開始（再開）するまでの間に、用紙の有無を確実に検知できるよう、この間に用紙ガイド７７０の上面に対して用紙を押える位置（第２の移動ポジション）に移動する。用紙押さえガイド７８７は、通紙中は、用紙の搬送を邪魔しないように、第２の移動ポジションよりも用紙ガイド７７０から離れた位置（第１の移動ポジション）に位置する。
【００６４】
そこで、用紙押さえガイド７８７の位置を用紙ガイド７７０の上面に対して用紙を押える位置と、用紙ガイド７７０から離れた位置とに移動させる移動機構を備える。本実施例では、一例として、加圧ローラ４１の加圧-離間動作に連動させて移動させる場合を説明する。すなわち、本実施例では、移動機構は、加圧ホルダ５１の加圧―離間動作（すなわち、加圧ローラ４１の加圧―離間動作）と用紙押さえガイド７８７の移動とを連動させる連動機構である。
【００６５】
ここで、図７のように、以下に説明する用紙押えガイド７８７に相当する機構がない構成の場合、薄紙などの自重が軽い用紙Ｐに関しては次のような場合がある。即ち、センサレバー７８３のバネ７８５のバネ力が用紙Ｐの自重よりも大きく、当接部７８３ｂが用紙Ｐを用紙ガイド７７０の上面から上方に押し上げてしまう場合がある。特に、薄紙の場合には、用紙の剛性も弱いため、当接部７８３ｂによって用紙ガイド７７０の上面から上方に押し上げられてしまいやすい。
【００６６】
この状態では、用紙Ｐが有る（ジャム状態）にもかかわらず、センサレバー７８３のシャッタ部７８３ａは、フォトインタラプタ７８４が透光する位置にあり、用紙Ｐが無い状態と判断してしまう。
【００６７】
そこで、使用される用紙が薄紙の場合であっても残留用紙を安定して検知するために、用紙押えガイド７８７を設置することによって、当接部７８３ｂの押し上げによる用紙Ｐの浮き上がりを防止する。即ち、用紙押えガイド７８７は、用紙ガイド７７０の上方部に定置の回動軸７８７ａを中心に回転可能に固定されている。
【００６８】
この回動軸７８７ａの端部には押圧部７８７ｂ（図５Ａ、図５Ｂ）を有し、加圧ホルダ５１の端部に設けられたアーム部（ガイド移動部材）５１ｂが押圧部７８７ｂを押圧する。アーム部５１ｂは、加圧ホルダ５１の加圧―離間動作（すなわち、加圧ローラ４１の加圧―離間動作）に連動して動く。これによって、用紙押えガイド７８７が回動軸７８７ａを中心に回動移動する。すなわち、アーム部５１ｂや回動軸７８７ａ、押圧部７８７ｂは、加圧ホルダ５１の加圧―離間動作と用紙押さえガイド７８７の移動とを連動させる連動機構として機能する。
【００６９】
加圧ローラ４１が加圧位置に移動しているときは、アーム部５１ｂが回動軸５３を中心に回転し、押圧部７８７ｂを押し上げる方向に移動する。そのため、用紙押えガイド７８７は、加圧ローラ４１の加圧動作に連動して押し上げ回動され、加圧ローラ４１が加圧位置にあるとき、用紙ガイド７７０の上面から跳ね上げられて逃げた位置（第１の移動ポジション）に保持されている（図１、図５Ａ）。
【００７０】
一方、加圧ローラ４１が離間位置に移動すると、アーム部５１ｂが回動軸５３を中心に回転し、押圧部７８７ｂを押し上げる方向とは反対に移動する。すなわち、アーム部５１ｂは、押圧部７８７ｂを押し上げない位置に移動する。そのため、用紙押えガイド７８７が自重により回動降下し、用紙ガイド７７０の上面に対して用紙を押える位置（第２の移動ポジション）まで移動する（図４、図５Ｂ）。
【００７１】
尚、本実施例では、用紙押さえガイド７８７は、自重により回動降下する構成としたが、加圧ホルダ５１の離間動作に連動させて、用紙押さえガイド７８７を用紙ガイド７７０側に動かす機構を連動機構の一部として設けるとしてもよい。
【００７２】
すなわち、加圧ローラ４１が加圧位置にあるときには、用紙押えガイド７８７は、第２の移動ポジションよりも用紙ガイド７７０から離れた位置（第１の移動ポジション）に位置する。これにより、用紙押えガイド７８７が通紙される用紙の搬送を妨げないようにできる。一方、加圧ローラ４１が離間位置にあるときには、用紙押えガイド７８７は、用紙ガイド７７０の上面（用紙と接触する側の面）に対して用紙を押さえる位置（第２の移動ポジション）に位置する。これにより、薄紙が滞留している場合にも、用紙の浮き上がりを抑制することができ、より確実に用紙滞留を検知することができる。
【００７３】
用紙押えガイド７８７は、センサレバー７８３の当接部７８３ｂと対向する位置にあり、用紙押えガイド７８７の中央部には切欠き部 （凹部、溝部）７８７ｃ（少なくとも１箇所の切欠き部）を設けている。これにより、センサレバー７８３の当接部７８３ｂが用紙ガイド７７０から突出している場合（すなわち滞留紙がない状態）において、用紙押さえガイド７８７が用紙を押さえる位置へ移動しても切欠き部７８７ｃに当接部７８３ｂが侵入できる。これによって、用紙押さえガイド７８７の移動によって、センサレバー７８３がフォトインタラプタ７８４を透光する位置に移動するのを防ぐことができる。すなわち、用紙ガイド７７０上に用紙がない場合に、用紙押さえガイド７８７によって用紙があるかのように誤検知するのを防ぐ構成になっている（図５Ｂ）。
【００７４】
ここで、切欠き部７８７ｃの幅は１０ｍｍ、センサレバー７８３の幅を８ｍｍに設定し、用紙押えガイド７８７とセンサレバー７８３の当接部７８３ｂのクリアランスを１ｍｍとしている。これによって、今までセンサレバー７８３の当接部７８３ｂによって浮き上がっていた用紙Ｐ（図７）が、図６のように、確実にセンサレバー７８３の当接部７８３ｂを押し下げることができ、ジャムした用紙などを安定して検知することができる。
【００７５】
上記の機構構成をまとめると次のとおりである。
【００７６】
１）シート搬送方向Ｘにおいてニップ部Ｎの上流側のシート搬送経路に配置されたシート滞留検知フラグ７８３ｂを有する。また、回転体である定着ローラ４０もしくは加圧ローラ４１の回転中心方向もしくは母線方向から見てシート搬送経路を中にしてシート滞留検知フラグ７８３ｂに対向する位置に配置された可動のガイド７８７を有する。また、シート滞留検知フラグ７８３ｂとの間隔を広げる方向と狭める方向とにガイド７８７を移動させるガイド移動部材５１ｂを有する。
【００７７】
そして、ガイド移動部材５１ｂは第１の移動ポジションと、第１の移動ポジションよりもガイド７８７のシート滞留検知フラグ７８３ｂとの間隔を狭めた第２の移動ポジションと、の少なくとも２つの移動ポジションを有する。
【００７８】
２）ガイド７８７は少なくとも１箇所の切欠き部７８７ｃを有し、ガイド移動部材５１ｂが第２のポジションにあるとき、滞留検知フラグ７８３ｂの先端がガイド７８７の切欠き部７８７ｃまで進入する。
【００７９】
３）滞留検知フラグ７８３ｂは、シートに接触しない退避位置と、滞留検知フラグ７８３ｂの先端がガイド７８７の切欠き部７８７ｃまで進入する進入位置と、の少なくとも２つの動作ポジションを有する。
【００８０】
４）一対の回転体４０・４１の一方の回転体４１が他方の回転体４０に対して当接してニップ部Ｎを形成している当接位置と、他方の回転体４０から離間している離間位置と、の少なくとも２つの移動ポジションを有する。そして、一方の回転体４１の当接位置と離間位置への移動動作に連動し、ガイド移動部材５１ｂは第１の移動ポジションと第２の移動ポジションとに選択的に移動する。
【００８１】
ａ：通紙時
画像形成装置１００のスタンバイ時においては、定着器Ｆの加圧ローラ４１は定着ローラ４０から離間している（図４、図５Ｂ）。スタンバイ時とは、画像形成が開始可能な状態で画像形成信号（実行命令）が入力されるのを待機している状態である。画像形成信号が入力されると、制御部３００は、加圧−離間機構５０を加圧動作させる（図１、図５Ａ）。これによって、加圧ローラ４１は定着ローラ４０に対して加圧し、ニップ部Ｎを形成する。
【００８２】
即ち、加圧ホルダ５１が加圧位置に移動すると、加圧ホルダ５１に設けられたホルダアーム５１ａは、退避レバー７８６の下端に位置する退避レバー押圧部７８６ｂと離間している。このとき、センサレバー７８３のセンサレバー押圧部７８３ｃが、退避レバー７８６によって、押圧され、センサレバー７８３は用紙ガイド７７０の下方に退避する。センサレバー７８３の退避位置は、センサレバー７８３の当接部７８３ｂが用紙ガイド７７０の用紙ガイド面から通紙領域に突出することがない位置である。
【００８３】
これによって、用紙Ｐはセンサレバー７８３に引っ掛かることなくニップ部Ｎに進入することができる。また、用紙先端がセンサレバー７８３と接触して変形したり、挙動が不安定となったりすることを防止することができる。
【００８４】
この状態のとき、シャッタ部７８３ａはフォトインタラプタ７８４を遮光し、これにより用紙検知器ＳはＯＮとなるが、通紙時は、用紙検知器ＳがＯＮとなっても、制御部３００は、この信号を無視するようにしている。
【００８５】
次に、用紙押えガイド７８７について、加圧ローラ４１が定着ローラ４０から離間しているときは（図４、図５Ｂ）、加圧ホルダ５１の一端にあるアーム部５１ｂが退避し、用紙押えガイド７８７が用紙を押える位置に降下する。
【００８６】
加圧ローラ４１が定着ローラ４０に対して加圧し、ニップ部Ｎを形成すると、アーム部５１ｂが回動軸５３を中心に回動し、用紙押えガイド７８７の一端にある押圧部７８７ｂを押し上げる。これによって、用紙押えガイド７８７は回動軸７８７ａを中心に押し上げられ、通紙領域外に移動し、用紙の画像形成を阻害しない。
【００８７】
この結果、ニップ部Ｎへの用紙突入形状等が安定し、良好な定着を行うことが可能となる。
【００８８】
ｂ：ジャム時
一方、画像形成装置内でジャムが発生した場合、ジャム検知部９０がジャムの発生を検知したことに応じて、制御部３００は、加圧−離間機構５０を離間動作させる。それにより、加圧ローラ４１が定着ローラ４０から離間する。即ち、図５に示すように、加圧ホルダ５１が離間位置に移動すると、加圧ホルダ５１に設けられたホルダアーム５１ａは、退避レバー７８６の下端に位置する退避レバー押圧部７８６ｂを押し上げる。
【００８９】
このとき、退避レバー７８６がセンサレバー７８３のセンサレバー押圧部７８３ｃから離間し、センサレバー７８３の先端部７８３ｂが用紙ガイド７７０から通紙領域内に突出しようとする。用紙ガイド７７０上に用紙がない場合や、用紙ガイド７７０上にある用紙が薄紙である場合、先端部７８３ｂが用紙ガイド７７０から通紙領域内に突出できるので、シャッタ部７８３ａはフォトインタラプタ５８４を遮光しない位置に移動する。
【００９０】
用紙押えガイド７８７は、加圧ホルダ５１の一端にあるアーム部５１ｂが用紙押えガイド７８７の押圧部７８７ｂから退避し、用紙を押える位置に降下する。用紙押さえガイド７８７の上方から用紙搬送面をみたとき、用紙押えガイド７８７が降下した際に、センサレバー７８３の先端７８３ｂは用紙押えガイド７８７の切欠き部７８７ｃに進入する位置に存在する。
【００９１】
用紙Ｐがない場合、用紙押えガイド７８７が降下してもセンサレバー先端７８３ｂが切欠き部７８７ｃに収まるので、シャッタ部７８３ａはフォトインタラプタ５８４を遮光しない位置のままである。一方、用紙Ｐが有る場合、用紙押えガイド７８７によって押えられた用紙Ｐよりもセンサレバー先端７８３ｂが上方に移動することができなくなるため、用紙の残留を良好に検知できる。
【００９２】
ここで、定着ローラ４０と加圧ローラ４１の間に用紙Ｐがジャムしている場合、図６に示すように、用紙押えガイド７８７が用紙の浮き上がりを押える。これにより、センサレバー７８３の先端７８３ｂが用紙Ｐによって押し下げられ、シャッタ部７８３ａがフォトインタラプタ７８４を遮光する位置に移動し、用紙の存在を検知する。
【００９３】
ジャムが発生した場合、制御部３００は、ジャムが発生したことをユーザ（操作者）に報知し、ジャム処理（ジャム紙を取り除く動作）を促す。
【００９４】
例えば、定着器Ｆの用紙ガイド７７０上に用紙が滞留するジャムが発生した場合、制御部３００は、ジャム紙の存在する場所をユーザに知らせる。ジャム処理においてユーザは、画像形成装置１００の扉を開けて、定着器Ｆにアクセスし、定着器Ｆの用紙ガイド７７０上に滞留しているジャム紙を除去し、扉を閉じる。尚、扉とは、機外から定着器Ｆにアクセスするために装置本体１０１に設けられた開口を開閉する扉である。
【００９５】
ｃ：パワーオン時のジャム用紙検知
ユーザが何らかの理由でジャム処理をせず、装置の電源（メインスイッチ）をＯＦＦし、その後、ジャム用紙の存在に気付かず、電源をＯＮする場合が考えられる。本実施例の構成では、このような場合であっても、定着器内の用紙の存在を良好に検知することができる。
【００９６】
即ち、装置のパワーＯＮ時は、スタンバイ時と同様に、加圧−離間機構５０が離間状態である。もしくは装置のパワーＯＮ時に離間動作することで加圧ローラ４１は定着ローラ４０から離間状態にある。そのとき、用紙Ｐが用紙ガイド７７０上に存在していれば、用紙押えガイド７８７が用紙の浮き上がりを押えることで、自重が非常に軽い薄紙においても、センサレバー７８３の先端７８３ｂが用紙Ｐによって押し下げられる。そして、シャッタ部７８３ａがフォトインタラプタ７８４を遮光する位置に移動し、用紙の存在を安定して検知することが可能となる。
尚、パワーオン時に限らず、ジャムが発生したことに応じてジャム処理を促し、ユーザが扉を開き、定着器Ｆのジャム紙を取り除かずに扉を閉めるケースも考えられる。このような場合にも、同様に、加圧-離間機構５０を離間状態であるので（もしくは離間状態にすることで）用紙押さえガイド７８７が用紙の浮き上がりを抑えることができる。これにより用紙の存在を安定して検知することが可能となる。
【００９７】
尚、パワーオン時やジャム処理を促した後のジャム用紙検知において、ジャム紙が滞留していた場合には、制御部３００は、再びジャム処理を促す。
【００９８】
また、制御部３００は、ジャム処理が完了した（即ち、用紙が滞留していないことを検知した）ことに応じて、画像形成処理を開始可能な状態へするべく、定着器Ｆの立ち上げ動作（定着ローラ４０の温度調整動作など）を開始する。
【００９９】
それにより、今まで検知できなかった非常に軽い薄紙にも対応可能となり、定着器内部に滞留した用紙による定着器の各部材の破損を防止でき、さらなるメディア対応力の幅を広げることができる。
【０１００】
《その他の事項》
（１）上述の実施例において、用紙押さえガイド７８７の移動機構は、加圧ホルダ５１の加圧―離間動作（すなわち、加圧ローラ４１の加圧―離間動作）と用紙押さえガイド７８７の移動とを連動させる連動機構の場合を例に説明した。しかしながら、用紙押さえガイド７８７の移動機構は、これに限らない。すなわち、加圧-離間動作との連動に限らず、用紙押さえガイド７８７を単独で動かすための専用の移動機構を設けてもよい。
【０１０１】
そして、移動機構により用紙押さえガイド７８７を用紙を押さえる位置へと移動させるトリガーは、次のいずれであってもよい。例えば、加圧ローラ４１の離間動作をトリガーとしてもよいし、電源ＯＮをトリガーとしてもよい。また例えば、扉の閉動作を検知する検知部を設けて、扉の閉動作が検知されたことをトリガーとしてもよい。
【０１０２】
また例えば、用紙ガイド７７０のジャム処理のために解除すべきロックレバーがある場合には、そのレバーのロック動作をトリガーとしてもよい。また例えば、用紙ガイド７７０のジャム処理のために定着器Ｆが機外に向かって移動される場合には、定着器Ｆが装着されたこと検知する機構を設け、装着を検知したことをトリガーとしてもよい。
【０１０３】
すなわち、ジャム発生後、最初の画像形成処理を開始可能な状態にするべく、定着器Ｆの立ち上げ動作を開始する前に、用紙押さえガイド７８７を用紙を押さえる位置へと移動させる。
【０１０４】
さらに、所定の坪量以上の厚紙が定着器内でジャムした場合には、用紙押さえガイド７８７を用紙ガイド７７０からより離れた位置のままとしてもよい。すなわち、第１の坪量の用紙がジャムした場合には、上述のトリガーが発生しても用紙押さえガイド７８７を用紙ガイド７７０からより離れた位置のままとする。
【０１０５】
そして、第１の坪量より小さい第２の坪量の用紙がジャムした場合には、上述のトリガーに応じて、移動機構により用紙押さえガイド７８７を用紙を押さえる位置へと移動させる。用紙の坪量を取得する取得部は、例えば、操作部２００である。具体的には、ユーザにより、操作部２００を介して入力されている。
【０１０６】
また、移動機構により用紙押さえガイド７８７を用紙ガイド７７０からより離れた位置に移動させるトリガーは、次のいずれであってもよい。たとえば、加圧ローラ４１が当接動作をしたことをトリガーとしてもよい。
【０１０７】
また例えば、用紙検知器Ｓが用紙ガイド７７０上の用紙の存在を検知している状態から、用紙の存在を検知しない状態に切り替わったこと（即ち、用紙の除去が検知されたこと）をトリガーとしてもよい。
【０１０８】
また例えば、ジャム発生後、最初の画像形成処理を開始するための信号を制御部３００が発したことをトリガーとしてもよい。すなわち、画像形成処理にて搬送される用紙Ｐが用紙ガイド７７０に到達する前に、用紙ガイド７７０からより離れた位置に移動していればよい。
【０１０９】
（２）上述の実施例においては、センサレバー７８３は、加圧ローラ４１が当接された状態において、退避レバー７８６等によって用紙ガイド７７０上の用紙搬送路から退避した位置に位置する構成とした。しかしながら、センサレバー７８３が用紙の搬送を妨げない構成であればよい。例えば、次の構成としてもよい。
【０１１０】
すなわち、センサレバー７８３の当接部７８３ｂは、画像形成処理中、用紙ガイド７７０の上面に突出しており、図１において回動軸７８２の時計回りの方向にばね付勢された構成とする。用紙が通過する際には、ニップ部Ｎに向かって搬送されてくる用紙が付き当たることで当接部７８３ｂが反時計回りに回動し、用紙ガイド７７０上を用紙が通過しているときには、当接部７８３ｂが用紙搬送路から退避する。
【０１１１】
この際、薄紙を搬送する場合においても搬送される用紙によって当接部７８３ｂが反時計回りに動けるように、時計回りの方向へのばね付勢力を弱くしておく。搬送中は勢いづけられてセンサレバー７８３に付き当たるため、センサレバー７８３のばね付勢力を弱くしておけば、薄紙の搬送を妨げないようにできる。
【０１１２】
尚、ジャム時にこのような薄紙が滞留した場合には、薄紙の剛性が弱いために、センサレバー７８３によって検知できない恐れがある。そのため、上述の実施例で説明したように、用紙押さえガイド７８７によって押さえる構成とする。
【０１１３】
（３）上述の実施例においては、転写部からニップ部Ｎへ突入する記録材の搬送路が横方向（大まかには、水平方向）である構成を例にした。しかしながら、用紙押さえガイド７８７によって押さえる構成を、転写部からニップ部Ｎへ突入する記録材の搬送路が縦方向（大まかには、重力方向）である画像形成装置に適用してもよい。用紙の剛性が弱い薄紙では、当接部７８３ｂによって用紙ガイド７７０のガイド面を挟んで当接部７８３ｂと反対側に向かって押されてしまい、センサレバー７８３による検知ができない恐れがある。
【０１１４】
そこで、用紙押さえガイド７８７によって押さえることで滞留している薄紙の検知をより確実にすることができる。
【０１１５】
（４）実施例においては、用紙滞留検知機構７０を用紙搬送方向Ｘにおいてニップ部Ｎの上流側に配設したけれどもこれに限られない。ニップ部Ｎの下流側、あるいは上流側と下流側の両方に配設した装置構成にすることもできる。
【０１１６】
（５）ニップ部Ｎを形成する一対の回転体４０・４１は実施例の一対のローラ体の構成に限られない。一方がローラ体で他方がエンドレスベルト、もしくは両方がエンドレスベルトである装置構成にすることもできる。
【０１１７】
（６）一対の回転体にニップ部Ｎを形成させる及び離間させるための加圧−離間機構５０は、実施例のように、加圧ローラ４１を定着ローラ４０に対して加圧−離間させる構成に限られない。定着ローラ４０を加圧ローラ４１に対して加圧−離間させる構成、定着ローラ４０と加圧ローラ４１の両者を加圧−離間させる構成にすることもできる。
【０１１８】
ここで、上記の加圧−離間機構５０の離間には一対の回転体が離間している形態と、離間させずに加圧せずに力を所定に低減する形態と、の２つの形態が包含されるものとする。
【０１１９】
（７）実施例では、画像加熱装置として、用紙上に形成された未定着トナー像を加熱して定着する定着装置を例にして説明したがこれに限られない。用紙に定着もしくは仮定着されたトナー像を再加熱して画像のグロス（光沢度）を増大させる装置にも本発明を適用することが可能である。
【０１２０】
（８）画像加熱装置を搭載させる画像形成装置における、用紙にトナー像を形成する画像形成部は、電子写真方式、静電記録方式、磁気記録方式等の転写方式又は直接方式の従来知られる適宜の画像形成方式の画像形成部であってよい。実施例のフルカラーの画像形成装置に限られず、各種方式の画像形成装置、単色の画像形成装置などにも適用できる。
【符号の説明】
【０１２１】
Ｆ・・定着器（画像加熱装置）、４０・・定着ローラ（加熱回転体）、４１・・加圧ローラ・・加圧回転体（加圧ローラ）。Ｎ・・ニップ部、Ｐ・・シート（記録材）、Ｘ・・シート搬送方向、７８３ｂ・・シート滞留検知フラグ、７８７・・可動のガイド、５１ｂ・・ガイド移動部材
【図１】
2019124860.tif 000003
【図２】
2019124860.tif 000004
【図３】
2019124860.tif 000005
【図４】
2019124860.tif 000006
【図５Ａ】
2019124860.tif 000007
【図５Ｂ】
2019124860.tif 000008
【図６】
2019124860.tif 000009
【図７】
2019124860.tif 000010